(57)【要約】【課題】誤放電を抑制しながら排気性能を確保し、高コントラストのプラズマディスプレイパネルを実現する。【解決手段】対向配置した前面板１と背面板２とを有し、前面板１は行方向に伸延した走査電極４と維持電極５とからなる表示電極６を備え、背面板２は列方向に伸延し表示電極６と交差するアドレス電極１０を備えるプラズマディスプレイパネルであって、背面板２は表示電極６とアドレス電極１０とが交差する部分に個々に区画された複数の放電セル１５を形成する行方向隔壁１２ｂと列方向隔壁１２ａとよりなる格子状の隔壁１２を備え、列方向隔壁１２ａの頂部に黒色層１３を設けている。【選択図】図１
2006085963.tif 000002
【特許請求の範囲】
【請求項１】
対向配置した前面板と背面板とを有し、前記前面板は行方向に伸延した走査電極と維持電極とからなる表示電極を備え、前記背面板は列方向に伸延し前記表示電極と交差するアドレス電極を備えるプラズマディスプレイパネルであって、
前記背面板は前記表示電極と前記アドレス電極とが交差する部分に個々に区画された複数の放電セルを形成する行方向隔壁と列方向隔壁とよりなる格子状の隔壁を備え、前記列方向隔壁の頂部に黒色層を設けたことを特徴とするプラズマディスプレイパネル。
【請求項２】
行方向隔壁と列方向隔壁の高さを異ならせたことを特徴とする請求項１に記載のプラズマディスプレイパネル。
【請求項３】
対向配置した前面板と背面板とを有し、前記前面板は行方向に伸延した走査電極と維持電極とからなる表示電極を備え、前記背面板は列方向に伸延し前記表示電極と交差するアドレス電極を備えるプラズマディスプレイパネルであって、
前記背面板は前記表示電極と前記アドレス電極とが交差する部分に個々に区画された複数の放電セルを形成する行方向隔壁と列方向隔壁とよりなる格子状の隔壁を備え、前記隔壁の頂部に黒色層を設け、前記行方向隔壁に設けた黒色層には隣接する前記放電セルを列方向に対して非平行に連通する連通部を設けたことを特徴とするプラズマディスプレイパネル。
【請求項４】
行方向隔壁の頂部には少なくとも２本の行方向黒色層が設けられるとともに、前記行方向黒色層には黒色層が形成されない非黒色層形成部を設け、前記非黒色層形成部が隣接する前記放電セルを列方向に対して非平行に連通する連通部を形成することを特徴とする請求項３に記載のプラズマディスプレイパネル。
【請求項５】
行方向隔壁が少なくとも２本の行方向隔壁で形成されていることを特徴とする請求項４に記載のプラズマディスプレイパネル。
【請求項６】
対向配置した前面板と背面板とを有し、前記前面板は行方向に伸延した走査電極と維持電極とからなる表示電極を備え、前記背面板は列方向に伸延し前記表示電極と交差するアドレス電極を備えるプラズマディスプレイパネルであって、
前記背面板は前記表示電極と前記アドレス電極とが交差する部分に個々に区画された複数の放電セルを形成する行方向隔壁と列方向隔壁とよりなる格子状の隔壁を備え、前記行方向隔壁は少なくとも２本の行方向隔壁で形成されるとともに、前記行方向隔壁には隣接する前記放電セルを列方向に対して非平行に連通する連通部が形成され、前記隔壁の頂部に黒色層を設けたことを特徴とするプラズマディスプレイパネル。
【請求項７】
黒色層の厚みが１μｍ以上３０μｍ以下であることを特徴とする請求項１から６のいずれかに記載のプラズマディスプレイパネル。
【発明の詳細な説明】
【技術分野】
【０００１】
本発明は表示デバイスとして知られているプラズマディスプレイパネルに関するものである。
【背景技術】
【０００２】
近年、双方向情報端末としての大画面、壁掛けテレビへの期待が高まっている。そのための表示デバイスとして、プラズマディスプレイ、液晶ディスプレイ、フィールドエミッションディスプレイ、エレクトロルミネッセンスディスプレイなどの数多くのものが提案され、既に商品化に至っているものもある。これらの表示デバイスの中でも、特にプラズマディスプレイパネル（以下、ＰＤＰと呼ぶ）を用いたプラズマディスプレイ装置は、自発光型で美しい画像表示ができ、大画面化が容易で視認性に優れた薄型表示デバイスとして、高画質化、高精細化および大画面化に向けた開発が進められている。
【０００３】
ＰＤＰは、駆動面ではＡＣ型とＤＣ型に大別でき、放電形式では面放電型と対向放電型の２種類がある。現状では、高精細化、大画面化および製造の簡便性から、ＡＣ型で面放電型のＰＤＰが主流を占めるようになってきている。
【０００４】
このＡＣ型の面放電ＰＤＰは前面板ガラスと背面板ガラスを対向させた構造をしており、その間に隔壁を設けて、画素に対応させた多数の微少空間を形成している。この微少空間には６６５００Ｐａ（約５００Ｔｏｒｒ）のネオンとキセノンの混合ガスが満たされており、電極に電圧を印加すると混合ガスが放電する。この放電によってキセノンガスから紫外線が放出され、微少空間に予め塗布された蛍光体に照射されて赤色、緑色、青色を発光する。ＰＤＰはこの発光を点滅させることによって、映像を表示するように構成したものである（例えば、非特許文献１など）。
【０００５】
一方、このようなＰＤＰにおいて表示品質のコントラストを高めるために、隔壁の上部に黒色顔料を塗布する例が開示されている（例えば、特許文献１、２など）。
【非特許文献１】内池平樹、御子柴茂生共著、「プラズマディスプレイのすべて」（株）工業調査会、１９９７年５月１日、ｐ７９−ｐ８０
【特許文献１】特開平１０−１７２４４２号公報
【特許文献２】特開平１１−１６５００号公報
【発明の開示】
【発明が解決しようとする課題】
【０００６】
今後ＰＤＰがＣＲＴを技術的に凌駕するためには、平板型という訴求点に加えて、更なる高画質化、高効率化が不可欠となっている。高画質、高効率を達成するためには、画素ごとの輝度を向上させる必要がある。そのためには、隣接する放電セル間の非発光領域を狭くし、放電の領域を広くするという方法が考えられる。しかしながら、非発光領域を狭くすると、隣接する放電セル間の距離が短くなるため、放電セル間で誤放電が増加し、クロストークが発生するという課題がある。
【０００７】
また、ストライプ状の隔壁を有する従来のＰＤＰではコントラストを向上させるために、ストライプ隔壁の上部を黒色化する例では、ストライプ状の隔壁ではストライプに平行な放電セル間の非発光領域を狭くすることができず、また放電セル間が直線的な空間によって互いに結ばれているために、放電によるイオンなどの励起粒子が拡散しやすく、誤放電を起こしやすい構造であった。一方、隔壁を井桁状に形成することで誤放電を抑制する方法では放電セル内のガスの排気が困難となるため、パネル内部の真空引きや放電ガスの注入に多大な時間が必要となり、設備コストの増大、量産性が悪化するなどの課題が生じていた。
【０００８】
本発明はこのような課題に鑑みてなされたもので、誤放電を抑制し、かつ、排気を十分に行い、かつ高コントラストを実現することを両立することが可能となり、輝度の向上と画質の向上を可能とするＰＤＰを実現することを目的とする。
【課題を解決するための手段】
【０００９】
この目的を達成するために、本発明のＰＤＰは、対向配置した前面板と背面板とを有し、前面板は行方向に伸延した走査電極と維持電極とからなる表示電極を備え、背面板は列方向に伸延し表示電極と交差するアドレス電極を備えるＰＤＰであって、背面板は表示電極とアドレス電極とが交差する部分に個々に区画された複数の放電セルを形成する行方向隔壁と列方向隔壁とよりなる格子状の隔壁を備え、列方向隔壁の頂部に黒色層を設けている。
【００１０】
このような構成により、列方向の隣接放電セル間の誤放電を抑制するとともに、列方向隔壁の頂部に設けた黒色層の厚みを最適化することによって、誤放電を抑制しながら排気性能を確保し、高コントラストのＰＤＰを実現することができる。
【００１１】
さらに、行方向隔壁と列方向隔壁の高さを異ならせることが望ましく、誤放電を抑制して、さらに高コントラストのＰＤＰを実現することができる。
【００１２】
また、本発明のＰＤＰは、対向配置した前面板と背面板とを有し、前面板は行方向に伸延した走査電極と維持電極とからなる表示電極を備え、背面板は列方向に伸延し表示電極と交差するアドレス電極を備えるＰＤＰであって、背面板は表示電極とアドレス電極とが交差する部分に個々に区画された複数の放電セルを形成する行方向隔壁と列方向隔壁とよりなる格子状の隔壁を備え、隔壁の頂部に黒色層を設け、行方向隔壁に設けた黒色層には隣接する放電セルを列方向に対して非平行に連通する連通部を設けている。
【００１３】
このような構成により、列方向の隣接放電セル間の誤放電を確実に抑制しながら排気性能を確保し、さらに高コントラストなＰＤＰを容易に実現することができる。
【００１４】
さらに、行方向隔壁の頂部には少なくとも２本の行方向黒色層が設けられるとともに、行方向黒色層には黒色層が形成されない非黒色層形成部を設け、非黒色層形成部が隣接する放電セルを列方向に対して非平行に連通する連通部を形成してもよい。このような構成により誤放電要因である荷電粒子の移動をさらに抑制して、誤放電を確実に抑制することができ、排気性能を確保してさらに高コントラストなＰＤＰを容易に実現することができる。
【００１５】
さらに、行方向隔壁が少なくとも２本の行方向隔壁で形成されていることが望ましく、このような構成により誤放電要因である荷電粒子の移動を行方向隔壁によってさらに抑制して、誤放電を確実に抑制することができ、排気性能を確保してさらに高コントラストなＰＤＰを容易に実現することができる。
【００１６】
また、本発明のＰＤＰは、対向配置した前面板と背面板とを有し、前面板は行方向に伸延した走査電極と維持電極とからなる表示電極を備え、背面板は列方向に伸延し表示電極と交差するアドレス電極を備えるＰＤＰであって、背面板は表示電極とアドレス電極とが交差する部分に個々に区画された複数の放電セルを形成する行方向隔壁と列方向隔壁とよりなる格子状の隔壁を備え、行方向隔壁は少なくとも２本の行方向隔壁で形成されるとともに、行方向隔壁には隣接する放電セルを列方向に対して非平行に連通する連通部が形成され、隔壁の頂部に黒色層を設けている。
【００１７】
このような構成により、誤放電要因である荷電粒子の移動を行方向隔壁によってさらに抑制して、誤放電を確実に抑制することができ、排気性能は行方向隔壁に設けた連通部によって確保してさらに高コントラストなＰＤＰを容易に実現することができる。
【００１８】
さらに、黒色層の厚みが１μｍ以上３０μｍ以下であることが望ましく、輝度を確保して誤放電の抑制し、さらに高コントラストのＰＤＰを実現することができる。
【発明の効果】
【００１９】
本発明のＰＤＰによれば、誤放電を抑制しながら排気性能を確保した高コントラストのＰＤＰを実現することができる。
【発明を実施するための最良の形態】
【００２０】
以下、本発明の実施の形態におけるＰＤＰについて図面を用いて説明する。
【００２１】
（第１の実施の形態）
図１は、本発明の第１の実施の形態におけるＰＤＰの概略構成を示す分解斜視図であり、ＰＤＰは前面板１と背面板２とにより構成されている。
【００２２】
前面板１は次のように構成されている。フロート法などにより製造された硼珪素ナトリウム系ガラスなどからなるガラス基板などの透明な前面側基板３上に、走査電極４と維持電極５とで対をなすストライプ状の表示電極６を複数対配列して形成し、その表示電極６群を覆うように誘電体層７を形成し、誘電体層７上にＭｇＯからなる保護膜８を形成している。なお、走査電極４および維持電極５は、それぞれ透明電極４ａ、５ａ、およびこの透明電極４ａ、５ａに電気的に接続されたＣｒ／Ｃｕ／ＣｒまたはＡｇなどからなるバス電極４ｂ、５ｂとから構成されている。
【００２３】
また、背面板２は次のように構成されている。前面側基板３に対向配置される背面側基板９上に、表示電極６と交差する方向にアドレス電極１０を形成するとともに、アドレス電極１０を覆うように誘電体層１１を形成し、誘電体層１１上に隔壁１２を形成している。隔壁１２は列方向隔壁１２ａと行方向隔壁１２ｂとにより格子状に形成され、列方向隔壁１２ａの頂部に黒色層１３が形成されている。さらに、隔壁１２間の側面および誘電体層１１の表面には蛍光体層１４を形成している。蛍光体層１４は、カラー表示のために通常、赤、緑、青の３色が順に配置される。
【００２４】
前面板１と背面板２とを、表示電極６とアドレス電極１０とが交差し、内部に微小な放電空間を形成するように隔壁１２を挟んで対向配置させ、周囲を封着部材により封止している。放電空間には、ネオン（Ｎｅ）、キセノン（Ｘｅ）およびヘリウム（Ｈｅ）などを混合した放電ガスを６６５００Ｐａ（５００Ｔｏｒｒ）程度の圧力で封入している。本発明の実施の形態では、キセノン（Ｘｅ）の分圧を５％から５０％としている。
【００２５】
このように、ＰＤＰの放電空間は、隔壁１２の列方向隔壁１２ａと行方向隔壁１２ｂとによって複数の区画に格子状に仕切られて単位発光領域となる複数の放電セル１５が形成され、この放電セル１５において表示電極６とアドレス電極１０とが交差して配置されている。また、このようなＰＤＰでは、維持期間において表示電極６の走査電極４と維持電極５の間に印加する周期的な電圧によって放電を発生させ、この放電によって発生する紫外線を蛍光体層１４に照射して可視光に変換させることにより画像表示を行っている。
【００２６】
誤放電が発生する理由としては、放電による荷電粒子が隣接する放電セル１５に到達し影響を及ぼすためと考えられる。荷電粒子は、走査電極４と維持電極５との間で印加される電圧により生じる電位分布に沿った動きのベクトルを有している。すなわち、列方向に平行なベクトルを持つものが主となる。
【００２７】
本発明の実施の形態では、放電セル１５が列方向隔壁１２ａと行方向隔壁１２ｂとによって格子状に区画されているため、行方向隔壁１２ｂによって列方向に平行なベクトルを持つ荷電粒子の列方向に隣接する放電セル１５への移動が抑制され、誤放電の要因を軽減することができる。また、この時、列方向隔壁１２ａの頂部に黒色層１３を設けているため、黒色層１３の膜厚を最適化して、列方向隔壁１２ａと行方向隔壁１２ｂとに若干の段差を設けることによって、行方向隔壁１２ｂの頂部と前面板１の保護膜８との間に最適な空隙を形成することが可能となる。したがって、黒色層１３の膜厚を最適化することによって、列方向に隣接する放電セル１５への荷電粒子の移動を抑制し、さらに、ＰＤＰを製造時の内部の真空引きにする際の排気性能を確保し、放電ガスの注入を容易に均一に短時間で行うことができる。したがって、排気性能を確保し、誤放電を抑制し高コントラストなＰＤＰを実現することができる。
【００２８】
ここで、従来の技術としてストライプ上の隔壁のトップを黒色とする技術が多数知られているが、この場合はストライプ状の隔壁のために、クロストークによる誤放電を抑制することができないため非発光領域を狭くすることができないといった課題があった。このような場合に、たとえストライプ状の隔壁の頂部を黒色としても非発光領域が広くなり、高精細の画像に対応できないという課題があった。例えば、ストライプ状の隔壁の場合はハイビジョン対応のセルの場合、セルピッチが約６７５μｍに対して、非発光領域はクロストークを抑制するために少なくとも３５０μｍ必要である。これは、セルの半分以上を占めており、たとえストライプの隔壁上を黒色としてもコントラスト向上に対する効果は半分以下となる。これに対して、本発明の実施の形態によれば、非発光領域を２５０μｍ付近にまで狭めることができる。
【００２９】
（第２の実施の形態）
図２は、本発明の第２の実施の形態におけるＰＤＰを前面板１側からみた画像表示部の概略構成を示す平面図である。さらに、図２における、Ａ−Ａ断面図、Ｂ−Ｂ断面図、Ｃ−Ｃ断面図、Ｄ−Ｄ断面図をそれぞれ、図３、図４、図５、図６に示す。また、これらの図においては、蛍光体層１３をも付加して示している。
【００３０】
図２〜図６に示すように、走査電極４と維持電極５とは、マトリクス表示の各ラインにおいて放電ギャップ１６を挟んで隣接するように列方向に交互に配列されている。図２に示すように、隔壁１２は全体として格子状の隔壁構造を有しており、列方向隔壁１２ａと少し幅の広い行方向隔壁１２ｂとにより、略矩形の放電セル１５を形成するようにしている。図３〜図６に示すように隔壁１２はその頂部に黒色層１３が形成された２層構造となっている。さらに、一対の走査電極４と維持電極５とが隣接する非発光領域１７に対応する行方向隔壁１２ｂの黒色層１３に、隣接する放電セル１５を列方向に対して非平行に連通する連通部１８を設けている。
【００３１】
ここで、「列方向に対して非平行に連通する」とは、連通部１８は、隣接する放電セル１５を、列方向に対して平行には連通しないということである。図７は隔壁１２上に形成された黒色層１３の詳細を示す平面図である。図７（ａ）に示すように、連通部１８を列方向（ｙ方向）に対して非平行に設けても、平行に連通する平行連通部１８ａが存在するものは本発明の範疇に入らない。一方、図７（ｂ）に示すように、平行に連通する領域が存在しない状態の非平行連通部１８ｂが本発明でいう「列方向に対して非平行に連通する」連通部１８である。
【００３２】
このように、隔壁１２に所定厚みの黒色層１３を設けた２層構造とし、行方向隔壁１２ｂ上に設けた黒色層１３に列方向に対して非平行に連通する連通部１８を設けている。したがって、隣接する放電セル１５間での誤放電の課題が抑制されるとともに、ＰＤＰ内部に対する不純ガスの排気および放電ガスの封入も良好に行うことができる。
【００３３】
また、誤放電が発生する理由としては、放電による荷電粒子が隣接する放電セル１５に到達し影響を及ぼすためと考えられる。荷電粒子は、走査電極４と維持電極５との間で印加される電圧により生じる電位分布に沿った動きのベクトルを有している。すなわち、図２に示す矢印Ｅで示すように、列方向に平行なベクトルを持つものが主となる。したがって、行方向隔壁１２ｂの黒色層１３に連通部１８が存在しても、連通部１８は列方向に非平行であることから、荷電粒子が連通部１８を通過して隣接する放電セル１５に到達する確率が小さくなり誤放電発生の課題を抑制することが可能となる。
【００３４】
なお、以上の説明においては、連通部１８は行方向隔壁１２ｂ上に一箇所ずつ設けた例を示したが、複数設けたものであっても構わない。
【００３５】
また、図８は本発明の第２の実施の形態における黒色層１３の他の実施例を示す平面図である。図８に示すように、行方向隔壁１２ｂに対応する黒色層１３に設ける連通部１８は、図２〜図７に示したような直線形状である必要はなく、湾曲した形状として「列方向に対して非平行に連通する」形状とすることが可能である。
【００３６】
また、図９は本発明の第２の実施の形態における黒色層１３の他の実施例を示す平面図である。図９に示すように、行方向隔壁１２ｂに対応する黒色層１３は２本の行方向黒色層１３ａによって形成され、それぞれに非黒色層形成部１３ｂを設け、この非黒色層形成部１３ｂが隣接する放電セルを列方向に対して非平行に連通する連通部を形成している。したがって、この連通部によって隣接する放電セルへの荷電粒子の移動を抑制し、誤放電を抑制することが可能となる。
【００３７】
さらに、本実施の形態では、黒色層１３の下部の行方向隔壁１２ｂは１本の隔壁であるが、この隔壁を複数本設けて隣接する放電セル１５の間に非放電空間を設け、荷電粒子がそれぞれの隔壁に衝突するようにしてもよい。
【００３８】
（第３の実施の形態）
図１０は、本発明の第３の実施の形態におけるＰＤＰの概略構成を示す分解斜視図であり、背面板の隔壁の構造が異なるのみで他の構成要素は第１の実施の形態と同様であるのでその詳細な説明は省略する。また、図１１は、本発明の第３の実施の形態におけるＰＤＰの隔壁の平面図である。
【００３９】
図１０に示すように、背面板２に形成された隔壁１２の頂部には黒色層１３が形成され、隔壁１２全体が２層構造となっている。図１０および図１１に示すように、行方向隔壁１２ｂは少なくとも２本の行方向隔壁１２ｃにより構成され、それぞれの行方向隔壁１２ｃには、隣接する放電セル１５を列方向に対して非平行に連通する連通部２０が設けられている。ここで、「列方向に対して非平行に連通する」とは、第１の実施の形態で述べたのと同様であり、本実施の形態では、図１０または図１１に示すように、本実施の形態では連通部２０を、それぞれの行方向隔壁１２ｃの列方向隔壁１２ａの対角方向に設けている。
【００４０】
すなわち、本実施の形態においては、隣接する放電セル１５の間はさらに２本の行方向隔壁１２ｃによって区画された非放電セル空間２１によって仕切られている。したがって、隣接する放電セル１５の間を移動する荷電粒子は連通部２０から非放電セル空間２１に入り、さらに隣接する行方向隔壁１２ｃの連通部２０を経由する必要がある。
【００４１】
したがって、隣接する放電セル１５に向かうベクトルを持った荷電粒子を行方向隔壁１２ｃの側壁に衝突させるため、より効果的に誤放電を誘発する荷電粒子を消失させることができる。さらに、図１１に示すように連通部２０が行方向に対して傾きを持つように形成されているため、行方向に対して傾いたベクトルを持つ荷電粒子が発生したとしても、必ず隔壁に衝突することとなる。
【００４２】
ここで、第１の実施の形態から第３の実施の形態において、黒色層の膜厚は、１μｍ〜３０μｍが好ましい。さらに好ましくは５μｍ〜２０μｍがよい。隣接セルのクロストークを十分に抑制するには行方向の荷電粒子の移動を極力抑制する必要がある。そのため、黒色層で形成される行方向隔壁と前面板との隙間あるいは連通部は狭い方が好ましい。さらに、黒色層の膜厚が厚くなると隔壁上部での発光の反射が阻害されるために輝度低下を引き起こす。しかしながら、あまり黒色層が薄いと排気が困難となるため、１μｍ未満の隙間では排気を十分に行うことができない場合がある。
【００４３】
なお、本発明において説明した黒色層はいわゆる遮光作用を発現する遮光層であって、その作用を発現するものであれば必ずしも黒である必要がないことは言うまでもない。また、黒色層はＭｎ、Ｃｏ、Ｆｅ、Ｒｕ、Ｎｉ、Ｃｒなどの金属または酸化物を含むガラスペーストを用いることで形成することができるがこれらに限るものではない。さらに、ガラス成分としてはＰｂＯ−ＳｉＯ２−Ｂ２Ｏ３系、ＺｎＯ−Ｂ２Ｏ３−ＳｉＯ２系、Ｂｉ２Ｏ３−Ｂ２Ｏ３−ＳｉＯ２系などが挙げられるが、これらに限るものでもない。
【００４４】
また、黒色層の形成方法としては、隔壁頂部に直接転写してもよいし、隔壁形成後に黒色層を塗布し、露光、現像により形成してもよい。
【産業上の利用可能性】
【００４５】
以上述べたように本発明のＰＤＰは、誤放電の抑制と排気を十分に行うことができ、かつ高コントラストを実現することができるため、壁掛けテレビや大型モニターなどのディスプレイ装置として有用である。
【図面の簡単な説明】
【００４６】
【図１】本発明の第１の実施の形態におけるＰＤＰの概略構成を示す分解斜視図
【図２】本発明の第２の実施の形態におけるＰＤＰを前面板側からみた画像表示部の概略構成を示す平面図
【図３】図２におけるＡ−Ａ断面図
【図４】図２におけるＢ−Ｂ断面図
【図５】図２におけるＣ−Ｃ断面図
【図６】図２におけるＤ−Ｄ断面図
【図７】本発明の第２の実施の形態におけるＰＤＰの隔壁上に形成された黒色層の詳細を示す平面図
【図８】同ＰＤＰの黒色層の他の実施例を示す平面図
【図９】同ＰＤＰの黒色層の他の実施例を示す平面図
【図１０】本発明の第３の実施の形態におけるＰＤＰの概略構成を示す分解斜視図
【図１１】同ＰＤＰの隔壁の平面図
【符号の説明】
【００４７】
１    前面板
２    背面板
３    前面側基板
４    走査電極
４ａ，５ａ    透明電極
４ｂ，５ｂ    バス電極
５    維持電極
６    表示電極
７，１１    誘電体層
８    保護膜
９    背面側基板
１０    アドレス電極
１２    隔壁
１２ａ    列方向隔壁
１２ｂ，１２ｃ    行方向隔壁
１３    黒色層
１３ａ    行方向黒色層
１３ｂ    非黒色層形成部
１４    蛍光体層
１５    放電セル
１６    放電ギャップ
１７    非発光領域
１８，２０    連通部
１８ａ    平行連通部
１８ｂ    非平行連通部
２１    非放電セル空間
【図１】
2006085963.tif 000003
【図２】
2006085963.tif 000004
【図３】
2006085963.tif 000005
【図４】
2006085963.tif 000006
【図５】
2006085963.tif 000007
【図６】
2006085963.tif 000008
【図７】
2006085963.tif 000009
【図８】
2006085963.tif 000010
【図９】
2006085963.tif 000011
【図１０】
2006085963.tif 000012
【図１１】
2006085963.tif 000013